(57)【特許請求の範囲】
【請求項１】
窓開口部１２を構成する外壁板１１の内側に臨ませて、モータ２３で駆動する駆動索２２にて吊り下げた上下動ドア１０を上下動して、前記窓開口部１２を開閉する密閉式上下動ドアの開閉装置において、前記駆動索２２は、チェン又はベルトからなり、上下のモータスプロケット２４と従動プーリ２６との間に掛け渡し、この駆動索２２の一方側に、上下動ドア１０を窓開口部１２の密閉材１３に接離する方向の動きに追従できるように吊り下げ、前記駆動索２２の他方側に、前記上下動ドア１０側の重量に対応したバランスウェート２７を吊り下げ、前記上下動ドア１０の側縁部に、縦方向のドア吊本金具３０を一体に設け、このドア吊本金具３０と、このドア吊本金具３０に略平行で、かつ、前記外壁板１１と反対側に間隔をおいて設けたガイド枠１４と、これら両側のドア吊本金具３０とそれぞれのガイド枠１４を回転自在に連結する上下２本ずつのアーム１５とによってリンク機構の４辺形を揺動自在に構成し、前記ドア吊本金具３０に駆動索２２を連結し、前記ガイド枠１４にガイド部材１８を設け、このガイド部材１８のガイド溝１９を、ガイドレール２１に上下動可能に嵌合し、前記ガイド枠１４の上端部に、上下動ドア１０の上下動時に上下動ドア１０が密閉材１３との間に隙間を有するように上下動ドア１０をガイド枠１４側に接近させて係合保持する係止片２０を設け、このガイド枠１４の移動線上であって、上下動ドア１０の閉鎖位置に臨ませてストッパ２９を設け、上下動ドア１０が窓開口部１２に位置したときに前記ストッパ２９にて前記ガイド枠１４の移動を制限して上下動ドア１０とガイド枠１４との前記係止片２０による係合を解き、上下動ドア１０を揺動することにより、上下動ドア１０を窓開口部１２の密閉材１３に密閉せしめてなることを特徴とする密閉式上下動ドアの開閉装置。
【発明の詳細な説明】
【０００１】
【発明の属する技術分野】
本発明は、上下方向にスライドして開閉するドアであって、閉鎖時に窓枠に密着して閉じるようにした密閉式上下動ドアの開閉装置に関するものである。
【０００２】
【従来の技術】
ドアには、水平方向にスライドして開閉するドア、水平方向にスイングして開閉するドア、上下方向にスライドして開閉するドア、上下方向にスイングして開閉するドアなどがある。
【０００３】
これらのドアのうち、動力で駆動する自動開閉ドアであって、水平方向にスライド又はスイングして開閉するドアにおいて、閉鎖時に窓枠に密着して閉じるようにしたものは存在する。
しかし、特に、上下方向にスライドして開閉するドアにおいて、自動開閉するための駆動源を利用して閉鎖時に窓枠に密着して閉じるようにしたものは存在せず、通常は、ドアを閉じた後で、手で締め付けて密着させる方法がとられていた。
【０００４】
【発明が解決しようとする課題】
手で締め付けて密着する方法では、密着させるときに大きな力を必要として確実な閉鎖ができない。また、水平方向にスイングして開閉するドアでは、水平なレールに、戸車で全重量を支えつつ開閉移動するので、ドアと窓枠との隙間を一定に保ちつつ開閉し、閉鎖直前に窓枠に密着させればよいから、密着させるための構成も比較的簡単であるが、上下動するドアは、通常、バランスウエイトでドアの重量を支えつつ開閉するので、開閉時の抵抗がドア自体に付加されないような余裕を持った構成としなければならず、自動開閉による密着時の構造が面倒になる。
【０００５】
本発明は、上下方向にスライドする自動開閉ドアにおいて、簡単な構成で、窓枠に確実に密着して閉じるようにした密閉式上下動ドアの開閉装置を提供することを目的とするものである。
【０００６】
【課題を解決するための手段】
本発明は、窓開口部１２を構成する外壁板１１の内側に臨ませて、モータ２３で駆動する駆動索２２にて吊り下げた上下動ドア１０を上下動して、前記窓開口部１２を開閉する密閉式上下動ドアの開閉装置において、前記駆動索２２は、チェン又はベルトからなり、上下のモータスプロケット２４と従動プーリ２６との間に掛け渡し、この駆動索２２の一方側に、上下動ドア１０を窓開口部１２の密閉材１３に接離する方向の動きに追従できるように吊り下げ、前記駆動索２２の他方側に、前記上下動ドア１０側の重量に対応したバランスウェート２７を吊り下げ、前記上下動ドア１０の側縁部に、縦方向のドア吊本金具３０を一体に設け、このドア吊本金具３０と、このドア吊本金具３０に略平行で、かつ、前記外壁板１１と反対側に間隔をおいて設けたガイド枠１４と、これら両側のドア吊本金具３０とそれぞれのガイド枠１４を回転自在に連結する上下２本ずつのアーム１５とによってリンク機構の４辺形を揺動自在に構成し、前記ドア吊本金具３０に駆動索２２を連結し、前記ガイド枠１４にガイド部材１８を設け、このガイド部材１８のガイド溝１９を、ガイドレール２１に上下動可能に嵌合し、前記ガイド枠１４の上端部に、上下動ドア１０の上下動時に上下動ドア１０が密閉材１３との間に隙間を有するように上下動ドア１０をガイド枠１４側に接近させて係合保持する係止片２０を設け、このガイド枠１４の移動線上であって、上下動ドア１０の閉鎖位置に臨ませてストッパ２９を設け、上下動ドア１０が窓開口部１２に位置したときに前記ストッパ２９にて前記ガイド枠１４の移動を制限して上下動ドア１０とガイド枠１４との前記係止片２０による係合を解き、上下動ドア１０を揺動することにより、上下動ドア１０を窓開口部１２の密閉材１３に密閉せしめてなることを特徴とする密閉式上下動ドアの開閉装置である。
【０００７】
ドア吊本金具３０の下降に伴い、ガイド枠１４もその自重により下降するが、このガイド枠１４は、ガイドレール２１に沿って垂直に下降する。下降時のガイド枠１４は、４辺形の角度が保持されたままとなる。
上下動ドア１０がガイドレール２１に沿って垂直に下降して、ガイド枠１４の端部がストッパに当接すると、ガイド枠１４は、もうそれ以上下降できず、しかも、ガイドレール２１によって水平方向にも移動できない。ところが、上下動ドア１０は、モータ２３で駆動されている駆動索２２によりさらに下降させられるので、上下動ドア１０は、４辺形の角度が開くようにして前方へ移動し、窓開口部１２の密閉材１３側へ押し付けて、上下動ドア１０が密閉状態で閉鎖する。
【０００８】
【発明の実施の形態】
本発明による密閉式上下動ドアの開閉装置の第１実施例を図１ないし図４に基づき説明する。
図１において、１１は、建造物の外壁板で、この外壁板１１には、窓開口部１２が開口し、この窓開口部１２の内側全周囲には、ゴムからなる密閉材１３が固定的に取り付けられている。この密閉材１３のさらに内側には、上下動ドア１０が設けられている。
【０００９】
この上下動ドア１０は、両側が駆動索２２に連結され、この駆動索２２は、上部の従動プーリ２６と、下方のモータスプロケット２４，ガイドプーリ２５とにて掛け渡され、前記上下動ドア１０を上下開閉するようになっている。
さらに詳しくは、図３に示すように、上下動ドア１０の上方に水平な従動プーリ軸３３を設け、この従動プーリ軸３３の両端部であって、前記上下動ドア１０の幅よりやや広い間隔を持って、２個の従動プーリ２６が回転自在に設けられ、また、上下動ドア１０の下方には、図中左側に１個のガイドプーリ２５が回転自在に設けられ、図中右側にモータスプロケット２４とガイドプーリ２５が回転自在に設けられ、図中左側では、上下の従動プーリ２６とガイドプーリ２５間に無端帯のチェン又は歯付きベルトからなる駆動索２２が掛け渡され、図中右側では、上下の従動プーリ２６とガイドプーリ２５、モータスプロケット２４間に同様の駆動索２２が掛け渡され、このモータスプロケット２４の回転軸がギア付きのモータ２３に連結されている。
【００１０】
前記上下動ドア１０の両側面には、図２、図３、図４に示すように、細板状のドア吊本金具３０が一体に固着され、このドア吊本金具３０の後方には、略同じ長さのガイド枠１４が、上下の２本のアーム１５とともに平行４辺形に配置され、それぞれの交差点が揺動軸１６と揺動軸１７で回転自在に軸架され、リンク機構が構成されている。また、前記ガイド枠１４の上端部には、上向きにθ＝約４５度に傾斜した係止片２０が一体に設けられ、上下動ドア１０を吊り下げたとき、ガイド枠１４が自重で下降すると、係止片２０に上部のアーム１５が当接して約４５度の平行４辺形が形成される。なお、この平行４辺形は、必ずしも正確な平行４辺形でなくても、略平行４辺形であればよい。
【００１１】
前記ガイド枠１４には、上下２個所にガイド溝１９を形成したドアガイド部材１８が固定的に取り付けられている（なお、図２では、図面の作成上、ドアガイド部材１８が１個所のみ記載されている）。このドアガイド部材１８のガイド溝１９は、取付け枠３６に固定的に取り付けられた垂直なガイドレール２１に上下摺動自在に嵌合している。
また、前記ドア吊本金具３０には、駆動索取付け具３１が取り付けられ、この駆動索取付け具３１にターンバックル３２を介して前記駆動索２２が連結されている。この駆動索２２には、従動プーリ２６を介した上下動ドア１０の吊り下げ位置と反対側に、上下動ドア１０やガイド枠１４などの重量に対応したバランスウェート２７が吊り下げられている。
前記ガイド枠１４の上方部には、上部ストッパ２８が設けられ、また、下方部には、下部ストッパ２９が設けられている。
以上のように構成された上下動ドア１０の正面部を除いた両端部の機構は、前記外壁板１１とその内側の内壁板３５で包囲されている。
【００１２】
以上のように構成された密閉式上下動ドアの開閉装置の作用を説明する。
図１において、ガイド枠１４は、ガイドレール２１に沿って垂直方向に移動できるが、水平方向には移動が規制されている。従って、２点鎖線のように上下動ドア１０が上方位置で吊り下げられ、ガイド枠１４が上部ストッパ２８に当接されている状態では、ドア吊本金具３０が係止片２０による角度を維持したままでガイド枠１４側に寄っている。このときの揺動軸１６と揺動軸１７の間隔をａとし、ドア吊本金具３０とガイド枠１４の間隔をｂとすると、θ＝約４５度の場合、ｂ＝約０．７ａとなり、上下動ドア１０は、ガイド枠１４側に寄っている。
【００１３】
ここで、モータ２３を駆動して、図１中左回転すると、ドア吊本金具３０が下降する。このドア吊本金具３０の下降に伴い、ガイド枠１４もその自重により下降するが、このガイド枠１４は、ドアガイド部材１８のガイド溝１９にガイドレール２１が嵌合しているため、このガイドレール２１に沿って垂直に下降する。下降時のガイド枠１４は、係止片２０にてドア吊本金具３０との角度が保持されたままとなる。
上下動ドア１０がガイドレール２１に沿って垂直に下降して、ガイド枠１４の下端部が下部ストッパ２９に当接すると、ガイド枠１４は、もうそれ以上下降できず、しかも、ガイドレール２１によって水平方向にも移動できない。ところが、上下動ドア１０は、モータ２３で駆動されている駆動索２２によりさらに下降させられるので、２本のアーム１５によって回転自在に連結されているドア吊本金具３０と上下動ドア１０は、平行４辺形の角度が開くようにして前方へ移動し、窓開口部１２の密閉材１３側へ押し付けて、上下動ドア１０が密閉状態で閉鎖する。このとき、ドア吊本金具３０とガイド枠１４の間隔ｃは、ｃ＝略ａとなる。
【００１４】
閉鎖している上下動ドア１０を開放するときは、図１において駆動索２２を右回りに移動させると、まず、上下動ドア１０とドア吊本金具３０が２本のアーム１５の揺動軸１７を支点として平行４辺形の角度が閉じるようにして持ち上がり、上下動ドア１０が密閉材１３との間に隙間を形成するように内方へ移動しつつ上方へ移動し、上部のアーム１５が係止片２０に係止すると、平行４辺形が固定されて上下動ドア１０とドア吊本金具３０は、ガイド枠１４と一体になってガイドレール２１に沿って上昇する。そして、ガイド枠１４は、前記同様に上部ストッパ２８で停止する。
【００１５】
前記実施例では、上下動ドア１０を駆動索２２で吊り下げつつ上下動するように構成したが、本発明は、これに限られるものではなく、ガイド枠１４を駆動索２２で吊り下げて上下動するようにしても良い。この例を図５により説明する。
図５において、上下動ドア１０と一体のドア吊本金具３０とガイド枠１４とは、２本のアーム１５を用い、揺動軸１６，揺動軸１７で平行４辺形に形成され、ガイド枠１４と一体のドアガイド部材１８のガイド溝１９がガイドレール２１に嵌合している点では、前記実施例と同一である。しかし、この図５に示す例では、係止片２０をガイド枠１４の下端部に設け、また、上下動ドア１０の下方部に臨ませて、下部ストッパ２９と一体の傾斜面部３４を設けたものである。
【００１６】
このような構成において、図中２点鎖線のように、ガイド枠１４が上方で吊り下げられている状態では、上下動ドア１０が自重で下降し、下方のアーム１５に係止片２０が係止し、上下動ドア１０と外壁板１１との間に隙間を持っている。ガイド枠１４がガイドレール２１に嵌合しつつ下降して、上下動ドア１０の下端が傾斜面部３４に当接すると、上下動ドア１０が傾斜面部３４の上を摺動しながら上下動ドア１０側に移動して密閉材１３に密着して密閉状態となる。
【００１７】
前記第１及び第２実施例では、上下動ドア１０が下降したときに閉じるような構成としたが、これに限られるものではなく、上昇時に閉じるように構成することもできる。この場合には、第１実施例では、図１におけるドア吊本金具３０がガイド枠１４よりも下にある平行４辺形で上下動し、ガイド枠１４が上部ストッパに当接したときて密閉するようにすれば良い。また、第２実施例では、図５におけるドア吊本金具３０がガイド枠１４よりも上にある平行４辺形で上下動し、ドア吊本金具３０が上部ストッパに当接したとき密閉するようにすれば良い。
【００１８】
【発明の効果１８】
請求項１記載の発明によれば、上下動ドア１０と、この上下動ドア１０の側縁部に略平行なガイド枠１４と、これら上下動ドア１０の側縁部とガイド枠１４とを回転自在に連結する２本のアーム１５とによってリンク機構の４辺形を揺動自在に構成し、前記ガイド枠１４を、ガイドレール２１に沿って上下動可能に嵌合し、このガイド枠１４の移動線上であって、上下動ドア１０の閉鎖位置に臨ませてストッパ２９を設け、このストッパ２９にて前記ガイド枠１４の移動を制限して上下動ドア１０を揺動することにより、上下動ドア１０を窓開口部１２の密閉材１３に密閉せしめるようにしたので、簡単な構成で、窓枠に確実に密着して閉じるようにした密閉式上下動ドアの開閉装置を提供することができる。
【００１９】
また、ガイド枠１４の上端部に、上下動ドア１０の上下動時に上下動ドア１０と密閉材１３との間に隙間を持たせるように上下動ドア１０とガイド枠１４の相互の間隔を接近させて係合保持する係止片２０を設け、上下動ドア１０が窓開口部１２に位置したときにガイド枠１４を下部ストッパ２９に当接して上下動ドア１０とガイド枠１４との係合を解き、上下動ドア１０を揺動して密閉材１３に密着するようにしたので、上下動ドア１０の上下動時には、密閉材１３に接触することなく円滑に開閉し、閉じるときのみ密閉材１３に確実に密着する。
【００２０】
さらに、駆動索２２は、チェン又はベルトからなり、上下のモータスプロケット２４と従動プーリ２６との間に掛け渡し、この駆動索２２の一方側に、上下動ドア１０を窓開口部１２の密閉材１３に接離する方向の動きに追従できるように吊り下げ、前記駆動索２２の他方側に、前記上下動ドア１０側の重量に対応したバランスウェート２７を吊り下げたので、上下動ドア１０の密閉時と開放時の揺動が円滑に行われる。
【００２１】
さらにまた、上下動ドア１０の側縁部に縦方向のドア吊本金具３０を一体に設け、このドア吊本金具３０と、このドア吊本金具３０に略平行なガイド枠１４と、これらドア吊本金具３０とガイド枠１４とを回転自在に連結する２本のアーム１５とによってリンク機構の平行４辺形を揺動自在に構成し、前記ドア吊本金具３０に駆動索２２を連結したので、上下動ドア１０の側縁部に、ドア吊本金具３０と、ガイド枠１４と、２本のアーム１５とによって構成されたリンク機構の平行４辺形を取り付けるだけで密閉可能な構成とすることができる。
【図面の簡単な説明】
【図１】本発明による密閉式上下動ドアの開閉装置の第１実施例を示す側面図である。
【図２】図１における要部の斜視図である。
【図３】本発明による密閉式上下動ドアの開閉装置の第１実施例を示す正面図である。
【図４】本発明による密閉式上下動ドアの開閉装置の第１実施例を示す平面図である。
【図５】本発明による密閉式上下動ドアの開閉装置の第２実施例を示す側面図である。
【符号の説明】
１０…上下動ドア、１１…外壁板、１２…窓開口部、１３…密閉材、１４…ガイド枠、１５…アーム、１６…揺動軸、１７…揺動軸、１８…ドアガイド部材、１９…ガイド溝、２０…係止片、２１…ガイドレール、２２…駆動索、２３…モータ、２４…モータスプロケット、２５…ガイドプーリ、２６…従動プーリ、２７…バランスウェート、２８…上部ストッパ、２９…下部ストッパ、３０…ドア吊本金具、３１…駆動索取付け具、３２…ターンバックル、３３…従動プーリ軸、３４…傾斜面部、３５…内壁板、３６…取付け枠。
【図１】
0004746208.tif 000002
【図２】
0004746208.tif 000003
【図３】
0004746208.tif 000004
【図４】
0004746208.tif 000005
【図５】
0004746208.tif 000006